(57)【要約】  アドホックネットワーク中の媒体アクセスを予約する例示的な方法は、予約オーナーにより予約要求を送信することを含み、予約要求は、予約割振と予約ターゲットと予約タイプとを識別する。予約タイプは、予約期間中の、予約所有者と予約ターゲットとによる予約割振の排他的使用を識別する。予約ターゲットは、優先競合アクセススキームを使用して、予約割振にアクセスする。予約割振のアイドル部分は、偶数スロットと奇数スロットとを含む複数のスロットに細分され、予約オーナーが偶数スロット中の送信を開始することによってアイドル部分に対するアクセスを得る一方で、予約ターゲットは奇数スロット中の送信を開始することによって、アイドル部分に対するアクセスを得る。【選択図】    図４
2010536269.tif 000002
【特許請求の範囲】
【請求項１】
アドホックネットワーク中の媒体アクセスを予約する方法において、
予約オーナーによって予約要求を送信することを含み、
前記予約要求は、予約割振と予約ターゲットと予約タイプとを識別し、前記予約タイプは、予約期間中の、前記予約オーナーと前記予約ターゲットとによる前記予約割振の排他的使用を識別する方法。
【請求項２】
前記予約ターゲットは、優先競合アクセス（ＰＣＡ）スキームを使用して、前記予約割振にアクセスする請求項１の方法。
【請求項３】
前記予約割振のアイドル部分は、偶数スロットと奇数スロットとを含む複数のスロットに細分され、前記予約オーナーは、偶数スロット中に送信することを開始することによって前記アイドル部分に対するアクセスを得て、前記予約ターゲットは、奇数スロット中に送信することを開始することによって前記アイドル部分に対するアクセスを得る請求項１記載の方法。
【請求項４】
最初の予約オーナーとして識別された前記予約オーナーは、送出送信許可（ＣＴＳ）通信を、最初の予約ターゲットとして識別された前記予約ターゲットに送信し、前記予約割振の現在の所有権を前記最初の予約ターゲットに移転する請求項１の方法。
【請求項５】
前記最初の予約オーナーは、後に、到来送信許可（ＣＴＳ）通信を前記最初の予約ターゲットから受信し、前記予約割振の現在の所有権を取り戻す請求項４記載の方法。
【請求項６】
データ送信を介在することなく、しきい値数の送出および到来の送信許可（ＣＴＳ）通信が行われた後、前記予約オーナーは前記予約ターゲットとの通信を中止する請求項５記載の方法。
【請求項７】
現在の予約オーナーは、到来ブロック肯定応答（Ｂ−ＡＣＫ）通信を現在の予約ターゲットから受信し、前記受信したＢ−ＡＣＫにおける受信ウィンドウ情報に基づいて、前記現在の予約ターゲットが媒体所有権を請求していることを決定する請求項５記載の方法。
【請求項８】
前記現在の予約オーナーは、ＣＴＳ通信を前記現在の予約ターゲットに送信し、前記Ｂ−ＡＣＫにおける情報に基づいて、現在の所有権を前記現在の予約ターゲットに移転する請求項７記載の方法。
【請求項９】
前記現在の予約オーナーは、前記現在の予約オーナーの送信キューステータスにさらに基づいて、前記ＣＴＳ通信を送信する請求項８記載の方法。
【請求項１０】
前記ＣＴＳ通信の送信に続く、指定されたサイレンス期間の後にサイレンスを検出することと、
前記サイレンスを検出することに基づいて、他のデバイスによって応答ＣＴＳが送信されたことを推論的に決定することと、
前記決定するステップに基づいて、後続するＣＴＳ通信を送信することとをさらに含む請求項４記載の方法。
【請求項１１】
前記送出ＣＴＳに応答して、ヘッダエラーを有するパケットを受信することと、
バックオフ期間バックオフすることと、
応答ＣＴＳが前記バックオフ期間中に受信されたか否かを決定することと、
応答ＣＴＳが受信されていた場合に、前記最初の予約オーナーに所有権を戻すように移転することと、
前記バックオフ期間中に有効なフレーム交換が生じたか否かを決定することと、
前記バックオフ期間中に前記有効なフレーム交換が生じている場合、前記予約ターゲットへの所有権の移転が受け入れられたことを決定することとをさらに含む請求項４記載の方法。
【請求項１２】
前記予約オーナーと前記予約ターゲットとの間のフレーム交換の不適切な終了を検出することと、
前記不適切な終了に関係する消失応答パケットの計算された終端に基づいて、前記予約割振のアイドル部分に関係する時間基準をリセットすることとをさらに含む請求項３記載の方法。
【請求項１３】
前記予約割振は、媒体アクセスチャネルスーパーフレームの複数の媒体アクセスロットのうちの少なくとも１つの媒体アクセススロット（ＭＡＳ）を含む請求項１記載の方法。
【請求項１４】
前記予約オーナーは第１の予約オーナーとして識別され、前記予約ターゲットは第１の予約ターゲットとして識別され、
前記方法は、
第２の予約要求を前記第１の予約ターゲットによって送信することをさらに含み、
前記第２の予約要求は第２の予約割振を識別し、第２の予約ターゲットは、前記第１の予約オーナーと第２の予約タイプとに対応し、前記第２の予約タイプは、第２の予約期間中の、前記第１の予約オーナーと前記第１の予約ターゲットとによる前記第２の予約割振の排他的使用を識別する請求項１記載の方法。
【請求項１５】
前記第１および第２の予約割振は、スーパーフレーム内の連続的な媒体アクセススロット（ＭＡＳ）と、スーパーフレーム内のインターリーブされた媒体アクセススロット（ＭＡＳ）とのうちの１つを占有する請求項１４記載の方法。
【請求項１６】
前記インターリーブされたＭＡＳは、上位層プロトコルの送信ウィンドウサイズに基づいている請求項１５記載の方法。
【請求項１７】
前記予約割振は、仮想的に、第１のセクションと第２のセクションとに分割され、前記予約オーナーは前記第１のセクションの前記最初の予約オーナーとして識別され、前記予約ターゲットは前記第２のセクションの前記最初の予約オーナーとして識別される請求項１記載の方法。
【請求項１８】
前記第１および第２のセクションは、スーパーフレーム内の連続的な媒体アクセススロット（ＭＡＳ）と、スーパーフレーム内のインターリーブされた媒体アクセススロット（ＭＡＳ）とのうちの１つを占有する請求項１７記載の方法。
【請求項１９】
前記インターリーブされたＭＡＳは、上位層プロトコルの送信ウィンドウサイズに基づいている請求項１８記載の方法。
【請求項２０】
予約オーナーとして識別されたワイヤレス通信デバイスにおいて、
アンテナに結合されているトランシーバと、
前記トランシーバに結合されているプロセッサと、
前記プロセッサに結合されているメモリとを具備し、
前記プロセッサは、予約要求を送信するように適合され、
前記予約要求は、予約割振と予約ターゲットと予約タイプとを識別し、前記予約タイプは、予約期間中の、前記予約オーナーと前記予約ターゲットとによる前記予約割振の排他的使用を識別するワイヤレス通信デバイス。
【請求項２１】
ワイヤレス通信デバイスにおいて、
予約オーナーによって予約要求を送信する手段を具備し、
前記予約要求は、予約割振と予約ターゲットと予約タイプとを識別し、前記予約タイプは、予約期間中の、前記予約オーナーと前記予約ターゲットとによる前記予約割振の排他的使用を識別するワイヤレス通信デバイス。
【請求項２２】
コンピュータ読み取り可能媒体を含むコンピュータプログラムプロダクトにおいて、
前記コンピュータ読み取り可能媒体は、
予約オーナーによって予約要求をコンピュータに送信させるコードを含み、
前記予約要求は、予約割振と予約ターゲットと予約タイプとを識別し、前記予約タイプは、予約期間中の、前記予約オーナーと前記予約ターゲットとによる前記予約割振の排他的使用を識別するコンピュータプログラムプロダクト。
【請求項２３】
アドホックネットワークシステムにおいて、
予約オーナーと、
予約ターゲットとを具備し、
前記予約オーナーは、予約要求を送信するように適合され、
前記予約要求は、予約割振と前記予約ターゲットと予約タイプとを識別し、前記予約タイプは、予約期間中の、前記予約オーナーと前記予約ターゲットとによる前記予約割振の排他的使用を識別するアドホックネットワークシステム。
【請求項２４】
前記予約割振のアイドル部分は、偶数スロットと奇数スロットとを含む複数のスロットに細分され、前記予約オーナーは、偶数スロット中に送信することを開始することによって前記アイドル部分に対するアクセスを得て、前記予約ターゲットは、奇数スロット中に送信することを開始することによって前記アイドル部分に対するアクセスを得る請求項２３記載のシステム。
【請求項２５】
最初の予約オーナーとして識別された前記予約オーナーは、送出送信許可（ＣＴＳ）通信を、最初の予約ターゲットとして識別された前記予約ターゲットに送信し、前記予約割振の現在の所有権を前記最初の予約ターゲットに移転する請求項２３記載のシステム。
【発明の詳細な説明】
【関連技術】
【０００１】
本特許出願は、“ワイヤレス通信システムにおけるチャネル予約のための装置および方法”と題する２００７年８月８日に出願され、本発明の譲受人に譲渡され、参照によりここに明確に組み込まれている仮出願第６０／９５４，７５７号に対して優先権を主張する。
【技術分野】
【０００２】
以下の記述は、一般的に、ワイヤレス通信に関する。さらに詳細に説明すると、ウルトラワイドバンドアドホックワイヤレス通信ネットワークに関する。
【背景】
【０００３】
ワイヤレスネットワーキングシステムは、世界中の大多数の人々が通信する一般的な手段になった。消費者のニーズを満たすために、ワイヤレス通信デバイスは、より小さくなり、より高性能になり、向上した可搬性および便宜性を備えている。セルラ電話機、パーソナルデジタルアシスタント（ＰＤＡ）、ノートブックのようなワイヤレス通信デバイスや、これに類するもののようなワイヤレス通信デバイスに対して、ユーザは多くの用途を見出し、このようなユーザは、信頼あるサービスおよび拡大したカバレージエリアを求める。
【０００４】
一般的に、ワイヤレス通信ネットワークは、ユーザがどこに（建造物の内また外に）位置しているかや、ユーザが静止しているかまたは（例えば、乗り物で、歩いて）移動しているか否かに関係なく、情報を通信するために利用される。一般的に、ワイヤレス通信ネットワークは、基地局またはアクセスポイントと通信している移動局デバイスによって確立される。アクセスポイントは、地理的領域またはセルをカバーし、移動体デバイスが動作されると、移動体デバイスは、これらの地理的セル中や外を移動する。連続的な通信を実現するために、移動体デバイスは、移動体デバイスが入るセルのリソースに割り当てられ、移動体デバイスが出るセルのリソースから割当解除される。
【０００５】
ネットワークは、アクセスポイントを利用せずに、ピアツーピア通信のみを利用して構成されていてもよい。さらなる実施形態では、ネットワークは、アクセスポイント（インフラストラクチャモード）およびピアツーピア通信の双方とも含んでいてもよい。これらのタイプのネットワークは、アドホックネットワークと呼ばれる。アドホックネットワークは、自己設定であってもよく、これによって、移動体デバイス（またはアクセスポイント）が通信を別の移動体デバイスから受信するときに、他の移動体デバイスがネットワークに加えられる。移動体デバイスがエリアを去ると、移動体デバイスは、ネットワークから動的に除去される。したがって、ネットワークの形態は、絶えず変化している可能性がある。マルチホップトポロジーでは、送信は、送信側から受信側に直接的ではなく、多数のホップまたはセグメントを通して転送される。
【０００６】
さまざまな要因が、ウルトラワイドバンド（ＵＷＢ）アドホックネットワークのようなネットワークにおけるワイヤレス通信の効率性および性能に影響を及ぼし得る。例えば、カバレージエリアにおいて生じるトラフィックまたはデータ通信の量によって、データ送信時間が減少し、干渉が生じる。したがって、通信のサービス品質（Ｑｏｓ）は、ネットワークにおいて実質的に同時に生じる他の通信に影響する。ワイヤレスＬＡＮ（ＩＥＥＥ８０２．１１）およびＵＷＢで利用される、衝突回避による搬送波感知多元接続（ＣＳＭＡ／ＣＡ）のような排他ベースのスキームでは、ネットワークにおいて干渉が存在する場合、同時送信の数およびデータのスループットが減少する。
【０００７】
さまざまなシステムインプリメンテーションでは、チャネル予約スキームが提供され、これにより、チャネル媒体に対するアクセスをデバイスがネゴシエートすることができる。特に、２者間使用に対するこれらの予約の効率は、アプリケーショントラフィックプロフィールに依存する。
【概要】
【０００８】
例えば、ＥＣＭＡ３６８で規定されているようなアドホックネットワーク中の媒体アクセスを予約する例示的な方法は、予約オーナーにより予約要求を送信することを含み、予約要求は、予約割振と予約ターゲットと予約タイプとを識別する。１つのこのような予約タイプは、予約期間中の、予約オーナーと予約ターゲットとによる予約割振の排他的使用を識別する。予約ターゲットは、一般的な優先競合アクセス（ＰＣＡ）スキームを使用して、予約期間中に予約割振にアクセスし、予約オーナーは、アイドル媒体に優先的に（すなわち、ＰＣＡバックオフを呼ぶ必要なく）アクセスしてもよい。バランスのとれた２者間使用を確実にするために、オーナーのような、双方のそれぞれに対して、等しい数のこのような予約割振が生成されてもよい。代替的に、予約割振のそれぞれのアイドル部分は、偶数スロットと奇数スロットとを含む複数のスロットに細分されてもよく、予約オーナーは、偶数スロット中に送信を開始することによってアイドル部分に対するアクセスを得る（この後、媒体は、送信を中止するまで、もはやアイドルであると考えられない）；一方で、予約ターゲットは奇数スロット中の送信を開始することによって、アイドル媒体に対するアクセスを得る。さらなる別の実施形態では、予約オーナーは、送出送信許可（ＣＴＳ）通信を予約ターゲットに送信し、予約割振の所有権を予約ターゲットに移転し、到来送信許可（ＣＴＳ）通信を予約ターゲットから受信し、予約割振の所有権を取り戻す。
【図面の簡単な説明】
【０００９】
【図１】図１は、１つの実施形態にしたがった、例示的なアドホックワイヤレスネットワークを図示している。
【図２】図２は、１つの実施形態にしたがった、例示的なワイヤレス端末デバイスを図示している。
【図３】図３は、１つの実施形態にしたがった、例示的な媒体アクセスチャネルスーパーフレーム構造を図示している。
【図４】図４は、１つ以上の観点にしたがった、媒体アクセスを予約する例示的な方法を図示しているフローチャートである。
【図５】図５は、さまざまな実施形態にしたがった、アクセスを予約割振に提供する例示的な方法を図示しているグラフである。
【図６】図６は、さまざまな実施形態にしたがった、アクセスを予約割振に提供する例示的な方法を図示しているグラフである。
【図７】図７は、さまざまな実施形態にしたがった、アクセスを予約割振に提供する例示的な方法を図示しているグラフである。
【図８】図８は、１つ以上の観点にしたがった、媒体所有権を移転する例示的な方法を図示しているフローチャートである。
【詳細な説明】
【００１０】
これから、図面を参照してさまざまな実施形態を記述する。以下の記述では、説明の目的のために、１つ以上の観点の全体的な理解を提供するために、多数の特定の詳細な説明を述べた。しかしながら、これらの特定の詳細な説明がなくても、このような実施形態を実施できることは明らかである。他の例では、これらの実施形態を記述することを容易にするために、よく知られている構造およびデバイスをブロック図の形態で示した。
【００１１】
本出願において使用されているような、「コンポーネント」、「モジュール」、「システム」という文言や、これらに類するものは、コンピュータ関連エンティティのことを意味することを意図しており、コンピュータ関連エンティティは、ハードウェア、ファームウェア、ハードウェアおよびソフトウェアを組み合わせたもの、ソフトウェア、または実行中のソフトウェアのいずれのものである。例えば、コンポーネントは、プロセッサ上で実行しているプロセスや、プロセッサや、オブジェクトや、実行可能ファイルや、実行のスレッドや、プログラムや、および／またはコンピュータであってもよいが、これらに限定されない。例示によると、コンピューティングデバイス上で実行しているアプリケーションおよびコンピューティングデバイスの双方とも、コンポーネントであってもよい。１つ以上のコンポーネントは、実行のプロセスおよび／またはスレッド内に存在していてもよく、コンポーネントは、１つのコンピュータ上で局所化および／または２つ以上のコンピュータ間で分散されてもよい。さらに、これらのコンポーネントは、記憶されたさまざまなデータ構造を有するさまざまなコンピュータ読み取り可能媒体から実行することができる。コンポーネントは、１つ以上のデータパケット（例えば、ローカルシステム中の、分散システム中の別のコンポーネントと対話する１つのコンポーネントからのデータ、および／または、インターネットのようなネットワークを通して信号により他のシステムと対話する１つのコンポーネントからのデータ）を有する信号にしたがうような、ローカルおよび／またはリモートプロセスの方法によって通信してもよい。
【００１２】
さらに、ユーザデバイスに関連してさまざまな実施形態をここで記述する。ユーザデバイスは、システム、加入者ユニット、加入者局、移動局、移動体デバイス、遠隔局、アクセスポイント、基地局、遠隔端末、アクセス端末、端末デバイス、ハンドセット、ホスト、ユーザ端末、端末、ユーザエージェント、ワイヤレス端末、ワイヤレスデバイス、またはユーザ機器とも呼ばれてもよい。ユーザデバイスは、セルラ電話機、コードレス電話機、セッション開始プロトコル（ＳＩＰ）電話機、ワイヤレスローカルループ（ＷＬＬ）局、パーソナルデジタルアシスタント（ＰＤＡ）、ワイヤレス接続能力を有するハンドヘルドデバイス、またはワイヤレスモデムに接続されている他の処理デバイスであってもよい。いくつかの実施形態では、ユーザデバイスは、例えば、プリンタ、カメラ、／カムコーダ、音楽プレイヤー、スタンドアローン磁気またはフラッシュ記憶デバイスのような、取り付けられたＵＷＢモデムを備えた消費者電子デバイス、あるいは、コンテンツ記憶装置を備えた他のＡＶ機器であってもよい。
【００１３】
さらに、ここで記述するさまざまな観点または特徴は、標準プログラミングおよび／またはエンジニアリング技術を使用している製造業者の方法、装置または、物として実現されてもよい。ここで用いる「製造業者の物」という文言は、何らかのコンピュータ読み取り可能媒体、キャリア、または媒体からアクセス可能なコンピュータプログラムを含むことを意図している。例えば、コンピュータ読み取り可能媒体は、磁気記憶デバイス（例えば、ハードディスク、フロッピー（登録商標）ディスク、磁気ストライプ．．．）や、光ディスク（例えば、コンパクトディスク（ＣＤ）、デジタル汎用性ディスク（ＤＶＤ）．．．）や、スマートカードや、フラッシュメモリデバイス（例えば、カード、スティック、キードライブ．．．）を含んでいてもよいが、これらに限定されない。
【００１４】
多数のデバイスや、コンポーネントや、モジュールや、これらに類するものを含むシステムの観点から、さまざまな実施形態を提示する。さまざまなシステムは、付加的なデバイスや、コンポーネントや、モジュールや、これらに類するものを含んでいてもよく、および／または、図面に関連して説明した、デバイスや、コンポーネントや、モジュール等のすべてを含んでいなくてもよいことを理解および正しく認識すべきである。また、これらのアプローチを組み合わせたものも使用されてもよい。
【００１５】
これから図面を参照すると、図１は、例示的なアドホックワイヤレスネットワーク１００を図示している。ワイヤレスネットワーク１００は、ワイヤレス通信における任意の数の移動体デバイスまたはノードを備えていてもよく、例示の容易さのために４つの移動体デバイスを図示した。移動体デバイスは、先に記述したように、例えば、セルラ電話機、スマート電話機、ラップトップ、ハンドヘルド通信デバイス、ハンドヘルドコンピューティングデバイス、衛星無線、グローバルポジショニングシステム、パーソナルデジタルアシスタント（ＰＤＡ）、および／またはワイヤレスネットワーク１００を通して通信するための他の適切なデバイスであってもよい。ワイヤレスネットワーク１００は、（示していない）１つ以上の基地局またはアクセスポイントを含んでいてもよい。
【００１６】
ワイヤレスネットワーク１００では、通信リンク１２０によって端末デバイス１１４と通信し、かつ通信リンク１２２によって端末デバイス１１６と通信している端末デバイス１１２を示している。また、通信リンク１２４によって端末デバイス１１８と通信している端末デバイス１１６を示している。端末デバイス１１２、１１４、１１６、および１１８は、図２に示したような、端末デバイス２００の可能性ある構成の例示的な簡略したブロック図にしたがって構成および設定されている。当業者が正しく認識するように、端末デバイス２００の正確な構成は、特定のアプリケーションおよび全体的な設計制約次第で変わってもよい。プロセッサ２０２は、ここで開示したシステムおよび方法を実現することができる。
【００１７】
端末デバイス２００は、アンテナ２０６に結合されているフロントエンドトランシーバ２０４によって実現されてもよい。ベースバンドプロセッサ２０８は、トランシーバ２０４に結合されていてもよい。ベースバンドプロセッサ２０８は、ソフトウェアベースアーキテクチャや、あるいは、ハードウェア、または、ハードウェアおよびソフトウェアを組み合わせたもののような他のタイプのアーキテクチャによって実現されてもよい。マイクロプロセッサは、他の機能の中で、制御および全体的なシステムマネジメント機能を提供するソフトウェアプログラムを実行するプラットフォームとして利用されてもよい。デジタル信号プロセッサ（ＤＳＰ）は、埋め込まれた通信ソフトウェア層によって実現されてもよく、埋め込まれた通信ソフトウェア層は、マイクロプロセッサ処理要求を減少させるアプリケーション特定アルゴリズムを実行する。ＤＳＰを利用して、パイロット信号捕捉、時間同期、周波数追跡、拡散スペクトル処理、変調および復調機能、および順方向エラー訂正のようなさまざまな信号処理機能を提供することができる。
【００１８】
端末デバイス２００は、ベースバンドプロセッサ２０８に結合されているさまざまなユーザインターフェース２１０を備えていてもよい。ユーザインターフェース２１０は、キーパッド、マウス、タッチスクリーン、ディスプレイ、リンガー、バイブレータ、オーディオスピーカ、マイクロフォン、カメラ、記憶装置および／または他の入力／出力デバイスを備えていてもよい。
【００１９】
ベースバンドプロセッサ２０８は、プロセッサ２０２を備えている。ベースバンドプロセッサ２０８のソフトウェアベースのインプリメンテーションでは、プロセッサ２０２は、マイクロプロセッサ上で実行しているソフトウェアプログラムであってもよい。しかしながら、当業者が容易に正しく認識するように、プロセッサ２０２は、この実施形態に限定されず、何らかのハードウェア構成、ソフトウェア構成、これらのものを組み合わせたものを含む、技術的に知られている何らかの手段によって実現されてもよく、これらは、ここで記述したさまざまな機能を実行することができる。データの記憶のために、プロセッサ２０２はメモリ２１２に結合されていてもよい。アプリケーションオペレーティングシステムおよび／または別個のアプリケーションを実行するためのアプリケーションプロセッサ２１４が、図２で示したように提供されていてもよい。アプリケーションプロセッサ２１４は、ベースバンドプロセッサ２０８と、メモリ２１２と、ユーザインターフェース２１０とに結合されているように示されている。
【００２０】
戻って図１を参照し、図３の媒体アクセス制御（ＭＡＣ）スーパーフレーム構造に関連して、通信リンク１２０、１２２、および１２４に関係するリソースの割振をこれから記述する。ＭＡＣ副層で規定されるＭＡＣサービスおよびプロトコルは、ＰＨＹサービスアクセスポイントを通して物理（ＰＨＹ）層によって提供されるサービスに依存する。ＭＡＣサービスは、ＭＡＣサービスアクセスポイントを通して、サービスを上位層プロトコルまたは適合層に提供する。記述した例示的な実施形態では、ＰＨＹ層は、例えば、Ｅｃｍａ国際標準規格、ＥＣＭＡ−３６８に適合しているような、ワイヤレスパーソナルエリアネットワーク用のウルトラワイドバンド（ＵＷＢ）物理層であってもよい。さまざまな実施形態の利益は、他のアドホックネットワーク構成による使用にも適する点に留意し、他のアドホックネットワーク構成は、例えば、ＩＥＥＥ８０２．１１またはＩＥＥＥ８０２．１５アドホックネットワークの特徴または改良されたバージョンを含む。
【００２１】
図３は、スーパーフレームＮ３０２のようなスーパーフレーム構造を使用するフレーム交換のための基本的な時間構造３００を図示している。一例として、スーパーフレームＮ３０２は、スーパーフレーム長に対応しているスーパーフレーム持続期間を有していてもよい。１つの実施形態では、スーパーフレームＮ３０２は、２５６個の媒体アクセススロット（ＭＡＳ）３０４を含み、それぞれのＭＡＳは、２５６マイクロ秒（μｓ）に等しい長さの持続期間３１０を有している。この実施形態では、スーパーフレームＮ３０２は、６５ミリ秒（ｍｓ）にほぼ等しい、対応しているスーパーフレーム持続期間を有している。図３に示したように、スーパーフレームは、スーパーフレームＮ３０２およびスーパーフレームＮ＋１ ３０５を含む、それぞれのスーパーフレームの開始３０６において、ビーコン期間３０８を含む。
【００２２】
一般的に、端末デバイスは、ビーコン期間３０８中に、ビーコン（すなわち、ビーコンフレーム）のみを送り、隣接ビーコンをリッスンする。ＭＡＳは、予約されてもよく、予約に参加しているデバイスは、これらの予約されたスロットに対して規定されている予約タイプにしたがう。ビーコン期間および予約されたスロットの外では、端末デバイスは、一般的に、アクセス競合ベースのスキームを使用する。いくつかの他の実施形態では、全体的なネットワーク１００に対して、単一のビーコンエンティティのみであってもよい。
【００２３】
現在のＭＡＳ予約インプリメンテーションは、一般的に、４つのタイプの予約：ハード、ソフト、優先競合アクセス（ＰＣＡ）、およびプライベートを規定する。予約オーナーであるように要求している端末デバイスによって、予約が開始され、予約は、情報を予約ターゲットに送るための１つ以上のＭＡＳを予約する要求である。
【００２４】
（例えば、ＥＣＭＡ３６８におけるような）ハード予約では、予約オーナーが、予約期間中の予約されたスロットの排他的使用を維持し、予約ターゲットを含む他の端末デバイスは情報を送信しない。ターゲットは、オーナーの送信に応答して、ＡＣＫのようなＭＡＣ層制御パケットを送信のみしてもよい。端末デバイスは、データパケットを送信するために必要とされる予約期間よりも、より長い予約期間が必要であることから、予約期間の一部はアイドルを含んでいるので、通信チャネルの利用が浪費される。これは、ハード予約の短所のうちの１つである。予約オーナーは、適切な通知を送信し、返答を待つことによって予約を解放してもよい；しかしながら、このような付加的なトランザクションは、処理および時間遅延ペナルティを受ける。
【００２５】
（例えば、ＥＣＭＡ３６８におけるような）ソフト予約では、予約オーナーは、予約期間中に、予約されたスロットに対するアクセスのために、ネットワーク中の他のデバイスよりも優先的に取り扱われる。衝突防止スキームを使用しているネットワークでは、予約ターゲットまたは他の何らかの隣接端末デバイスのような他の「より低い優先度」の端末デバイスによって、予約期間のアイドル部分に関係するスロットが利用されてもよい。したがって、ソフト予約は、競合スキームを使用して、予約期間のアイドル部分の利用を行う。
【００２６】
ＰＣＡ予約では、送信のためにスロットが予約されるが、予約期間中に、予約オーナーや、予約ターゲットや、他の何らかの隣接端末デバイスを含むすべての端末デバイスが、搬送波感知多元接続／衝突回避（ＣＳＭＡＣＡ）のような衝突防止スキームを利用して、予約期間中に予約されたスロットに対するアクセスを得る。このことは、ＰＣＡアクセスオーバーヘッド（バックオフ）を予約オーナーに課す。
【００２７】
先に説明した３つの予約スキーム（ハード、ソフト、ＰＣＡ）では、デバイス間の２方向通信のためのプロビジョンは、柔軟性に欠けおよび／または非効率である。例えば、ハード予約では、予約されたスロットの利用が予約オーナーに対して排他的であることから、２方向通信は２つの別個のハード予約が必要である。さらに、固定されたハード予約は、柔軟性に欠け、かつ、２方向のトラフィック比を変えるように適応できず、またはそうでなければ、予約されたスロットを効率的に割り振るために、トラフィック比についての明示的なアプリオリ情報が必要である。例えば、１対のデバイスが、それぞれ完全なスーパーフレーム能力を有する、それぞれの方向につき１つの、２つのハード予約を行うことは不可能であるので、アプリケーションがそのトラフィックの大部分に対して方向を逆転した場合、スループットの損失になるだろう。ソフト予約およびＰＣＡ予約スキームは、ネットワーク上の他のデバイスからのチャネルアクセス競合が原因で、劣化したチャネル状態が生じる。これによって、予約オーナーと予約ターゲットとの間の最適な２方向通信を制限する。いくつかのシステムにおける使用のために、プライベート予約がイネーブルされても、チャネルアクセス戦略の定義はインプリメンテーション設計者に委ねられる。
【００２８】
図４を参照すると、フローチャート４００は、１つの実施形態にしたがった、媒体アクセスを予約する例示的な方法を図示している。フローチャート４００は、例えば、図１の端末デバイス１１２および１１４のような１対の端末デバイスが、効率的に、かつ、柔軟性のある方法で互いに通信することを容易し、特に、図１のネットワーク１００のようなアドホックネットワークに利益がある。
【００２９】
ステップ４０２では、予約オーナーが予約要求を送信する。一般的に、予約要求は、コマンドフレームの一部として（または、ビーコン情報要素として）送信している。他の情報項目の間で、予約要求は、予約オーナーの識別や、予約ターゲットの識別や、予約のための１つ以上のスロット（ＭＡＳ）に対する割振要求や、予約タイプを含んでいてもよい。たとえ、予約されたスロットが、スーパーフレームにわたって隣接的に分散または細分化されたとしても、便宜性のために、ＭＡＳの割振を集約的に予約割振（または、簡単に「予約」）と呼ぶ。ステップ４０２の間に示されている予約タイプは、予約期間中の、予約オーナーおよび予約ターゲットによる予約割振の排他的使用を識別する。このような予約タイプは、（例えば、アプリケーション特定識別子によって識別される）媒体アクセスに対するインプリメンテーション特定「プライベート」予約であってもよく、または、標準規格のインプリメンテーションに採用されている場合、排他的２方向（ＥＢＤ）予約に対する明示的な予約タイプであってもよい。プライベートまたは明示的であろうと、双方の予約タイプとも、２方向媒体アクセスを予約オーナーと予約ターゲットとに排他的に提供することから、本開示の目的のために、双方の予約タイプともここではＥＢＤ予約と呼ぶ。
【００３０】
ステップ４０４では、予約オーナーが予約応答を受信する。例えば、予約ターゲットは、ステップ４０２の予約要求に対する返答で、予約応答を送信してもよい。ステップ４０６では、予約オーナーは、オプション的に、予約されたスロットのうちの１つ以上中で、情報フレームを予約ターゲットに送信する。予約オーナーによる送信の終わりにおいて、予約期間の残り部分の中に、予約割振のアイドル部分（アイドル予約されたスロット）が残っているかもしれない。
【００３１】
ステップ４０８では、残りの予約期間中、情報のアクセスおよび送信のために、予約ターゲットに対して予約割振のアイドル部分が利用可能にされる。予約ターゲットによって送信されるこのような情報は、予約オーナーによって受信されてもよい。都合よく、予約ターゲット自体の別個の予約を取得するように予約ターゲットに要求することなく、そして、予約割振に対するアクセスのために他の隣接端末デバイスと競合するように予約ターゲットに要求することなく、予約割振のアイドル部分に対するアクセスが予約ターゲットに対して利用可能にされる。別の実施形態にしたがうと、対称性およびバランス性のために、図３中のステップは、１対のＥＢＤ（すなわち、第１のＥＢＤおよび第２のＥＢＤ）を確立するように個々に各側から実行される。代替的に、単一の予約は、仮想的に、２つのセクションに分割され、第１のセクションの最初の予約所有権は、予約オーナー（第１のセクションの最初の予約オーナー）に割り振られてもよく、第２のセクションの最初の予約所有権は、予約ターゲット（第２のセクションの最初の予約オーナー）に割り振られてもよい。２つの予約（または単一の予約の２つの仮想セクション）は、それぞれ、連続的なＭＡＳスロットを占有し、または、これらの各ＭＡＳは、スーパーフレーム内で互いにインターリーブされてもよい。さらなる他の実施形態では、２つの予約または（１つの予約の２つのセクション）をインターリーブすることは、上位層プロトコルの送信ウィンドウサイズのアプリオリ知識に基づいていてもよく、これにより、必要とされる所有権移転の数が最小になり、および／または、上位層肯定応答（ＡＣＫ）を実現することが可能になる。リソース利用における顕著な改善は、いくつかの実施形態にしたがって実現できる。例えば、２方向通信のための２つの別個のハード予約と比較したときに、いくつかのトラフィック状況では、２つの別個のＥＢＤ予約が、媒体利用効率を大体２倍にする。ＥＤＢ予約のオーナーおよびターゲットによる媒体アクセスルールのさまざまな実施形態を以下に概略的に説明する。ブロック４０８から４０６に対して引かれているパスは、以下で説明するさまざまな実施形態にしたがった、予約オーナーおよび／またはターゲットによる媒体に対する後続のアクセスのためのさまざまな構成を表している。
【００３２】
１つの実施形態にしたがうと、予約ターゲットは、優先競合アクセス（ＰＣＡ）スキームを使用することによって、予約割振のアイドル部分にアクセスし（ステップ４０８）、予約オーナーとの競合を防ぐ。図５のグラフ５００に関連して、この実施形態を記述する。図５では、垂直軸は、ＥＢＤ予約のために、予約期間中に予約割振にアクセスする時間を表している。ブロック５０２は、時間５１０で終了する予約オーナーによる情報送信シーケンスを表している。ブロック５０２は、ターゲットからの何らかのＭＡＣレベルＡＣＫパケットを含み、指定されたサイレンス期間（例えば、ＥＣＭＡ３６８ではＳＩＦＳ＝１０μｓ）が続く。図５に図示した特定のＰＣＡスキームでは、予約ターゲットは、（９μｓのような）第１のサイレンス期間５１２と（（０ないし３）*９μｓに及ぶダイス期間のような）第２の可変期間とを待つ。時間５１６における第２の可変期間の終わりに、予約オーナーが情報を送信しなかった場合、予約ターゲットは、媒体に対するアクセスを得て、予約オーナーへの、情報の送信を開始することができる。第２の期間は可変であるので、予約ターゲットに対する平均待ち時間を待ち期間５１８によって図示している。この特定のＣＳＭＡ／ＣＡ構成では、平均待ち期間５１８は、約２２．５μｓであり、この間、どちら側も送信しない。これに対して、ターゲットの送信シーケンスの後に予約オーナーが送信を開始する同じ待ち時間はゼロである。２方向アプリケーションのために、１対のこのようなＥＢＤ（各方向に１つ）を使用することによって、双方に対して、このシナリオにおける平均待ち期間を１１．２５μｓにバランスさせることができる；これは、アプリケーションのアプリオリ知識が存在しない場合に効果的であるかもしれない。
【００３３】
別の実施形態にしたがうと、予約ターゲットは、参照アクセス割当スキームにしたがって、予約割振のアイドル部分にアクセスする（ステップ４０８）。図６のグラフ６００に関連して、この実施形態を図示する。ブロック６０２は、時間６１０において終了する予約オーナーによる情報送信シーケンスを表している。ブロック６０２は、ターゲットからの何らかのＭＡＣレベルＡＣＫパケットを含み、指定されたサイレンス期間（例えば、ＥＣＭＡ３６８ではＳＩＦＳ＝１０μｓ）が後続する。時間６１０に続く予約割振のアイドル部分は、複数のスロットに細分され、複数のスロットは、例えば、スロット６１２、６１４、６１６、および６１８を含む。スロット６１２および６１６は、それぞれ、偶数スロット０および２として識別される。スロット６１４および６１８は、それぞれ、奇数スロット１および３として識別される。媒体がアイドルである間にさらなる偶数および奇数スロットがスロット６１８に後続する。例として、スロット６１２、６１４、６１６、および６１８は、９μｓスロットであってもよい。
【００３４】
図６の参照アクセス割当スキームでは、予約オーナーが、偶数スロット中にその送信を開始することによって、アイドル予約割振に対するアクセスを得て、予約ターゲットは、奇数スロット中にその送信を開始することによってアイドル予約割振に対するアクセスを得る。一度、予約オーナーまたは予約ターゲットが媒体アクセスをこの方法で得ると、端末デバイスは、残りの予約持続期間中に、予約割振の残りのスロット（奇数および偶数の双方とも）によって情報送信を継続してもよい。情報送信が完了し、予約割振の付加的なアイドル部分が残った場合、新しい時間基準６１０によってプロセスが繰り返される。この特定の実施形態によって、例えば、図５の待ち時間５１８と比較して、アイドル予約割振にアクセスするための待ち時間は減少する。たとえスロット０であっても、ＥＢＤのオーナーはその送信を開始できるので、その平均待ち時間はターゲットに対する平均待ち時間よりも少なくなることに留意されたい。２方向アプリケーションに対して、１対のこのようなＥＢＤ（各方向につき１つ）を使用することによって、双方に対する平均待ち期間をバランスさせることができ、これは、アプリケーションのアプリオリ知識が存在しない場合に有効である。
【００３５】
図６のアクセス割当スキームにおけるエラー回復を高めるために、予約オーナーまたは予約ターゲットのいずれかがヘッダエラーを受信した場合、ヘッダエラーを検出するデバイスが「バックオフ」を開始することができる。一般的に、バックオフは、一般的にアルゴリズムによって規定されているような特定の期間中に、媒体にアクセスすることを控えるための手順またはアルゴリズムを実行することを含む。この目的のための例示的なバックオフ技術がＥＣＭＡ３６８で開示されているが、他のバックオフ技術もまた、ここで説明したアクセス割当スキームとともに使用されてもよい。フレーム交換の不適切な終了（例えば、予測された制御パケット応答の送信または受信の失敗）のケースでは、デバイスは、さらなるエラー回復を提供するために、消失応答パケットの計算された終端に基づいて、デバイスのスロットタイマ（すなわち、予測された時間基準６１０）をリセットすることができる。一例として、ＥＣＭＡ３６８では、データフレームに応答して、予測された即時ＡＣＫが受信されない場合には、新しい時間基準[送信データフレームの終端＋ＳＩＦＳ＋Ｉ−ＡＣＫフレームの固定持続期間（例えば、ＥＣＭＡ３６８では１３．１２５μｓ）＋ＳＩＦＳ]が設定されてもよい。
【００３６】
別の実施形態にしたがうと、予約ターゲットは、所有権移転スキームにしたがって、予約割振のアイドル部分にアクセスする（ステップ４０８）。図７のグラフ７００に関連して、この実施形態を記述する。ブロック７０２は、時間７１０において終了する予約オーナーによる情報送信シーケンスを表している。ブロック７０２は、ターゲットからの何らかのＭＡＣレベルＡＣＫパケットを含み、指定されたサイレンス期間（例えば、ＥＣＭＡ３６８ではＳＩＦＳ＝１０μｓ）が後続する。所有権移転スキームでは、予約オーナーは、ブロック７０２の終わりにおいてその情報送信シーケンスを完了した後に、所有権を予約ターゲットに移転してもよい。図７の実施形態では、予約オーナーが、送出送信許可（ＣＴＳ）通信７１４を予約ターゲットに送信し、予約割振の所有権を予約ターゲットに移転する。他の実施形態では、所有権の移転を示す適切な通信によって、ＣＴＳ通信７１４が置換されてもよい。実例として、所有権移転メッセージの他の形態は、例えば、新しい一意的なフレームサブタイプを有するゼロ長コマンドフレーム；あるいは、新しい一意的なフレームサブタイプを有するゼロ長制御フレーム；あるいは、アプリケーション特定コマンドまたは制御フレーム；あるいは、アクセス情報フィールドにおいて一意的な値を有するゼロ長データフレームを含んでいてもよい。ＣＴＳ通信の受信および第２の待ち時間７１６（例えば、ＥＣＭＡシステムに対するＳＩＦＳ）に続いて、予約ターゲットは、予約の割振の所有権を仮定し、時間７１９において、予約オーナーへの、ブロック７２０の情報送信を開始してもよい。情報送信７２０の終わりに、予約ターゲットは、予約ターゲット自体のＣＴＳ通信を送出することによって予約オーナーに所有権を戻すように移転し、このＣＴＳ通信は予約オーナーによって到来ＣＴＳ通信として受信される。しかしながら、時間７１９において、予約ターゲットが、予約オーナーに送信する情報を持っていない場合、予約ターゲットは、時間７１９において、その予約ターゲット自体の（示していない）ＣＴＳ通信を送出することによって所有権を予約オーナーに戻すように移転することができ、このＣＴＳ通信は予約オーナーによって到来ＣＴＳ通信として受信される。残りの予約割振の所有権は、予約持続期間中に、往復移転を続けてもよい。あるいは、両側とも、この予約ブロックまたはスーパーフレームの残りに対して新しいデータを予想しない場合、基礎としているＭＡＣ標準規格においてすでに規定されている他の節電メカニズムによって往復プロセスは終了してもよい。
【００３７】
いくつかの状況では、例えば、パケット損失が原因で、予約割振の所有権があいまいになるかもしれない。所有権のあいまいさをなくすために、予約オーナーおよび予約ターゲットは、図８中のフローチャート８００によって概略されている後続ステップを実行することができる。ステップ８０２では、それぞれの予約期間のはじめに、所有権が、予約オーナーに最初に割り当てられる。ステップ８０４では、所有権を移転することを望むデバイスが、最初のＣＴＳを他のデバイスに送信する。決定８０６では、ＣＴＳを受信するデバイスが、所有権の移転を受け入れ、または、拒否することができる。デバイスが所有権移転を受け入れた場合、ステップ８０８において、デバイスは、指定されたサイレンス期間（例えば、ＥＣＭＡ３６８ではＳＩＦＳ＝１０μｓ）に続いて何らかの有効なフレーム交換の送信を開始し、所有許可の受け入れを示す。デバイスが所有権移転を拒否した場合、ステップ８１４において、デバイスは、指定されたサイレンス期間（例えば、ＥＣＭＡ３６８ではＳＩＦＳ＝１０μｓ）に続いてＣＴＳを送信する。
【００３８】
ステップ８１０では、他のデバイスによって開始された有効フレーム交換の受信（この受信によって所有権の移転が成功に終わった）時に、最初のＣＴＳの送信側が、所有権移転が受け入れられたことを決定することができる。ステップ８０１に続いて、再び、所有権を移転するようにステップ８０４が反復してもよい。
【００３９】
ブロック８１６によって示されているように、指定されたサイレンス期間（例えば、ＥＣＭＡ３６８ではＳＩＦＳ＝１０μｓ）の後の有効な返答ＣＴＳの受信時に、最初のＣＴＳ送信側は、許可が拒否されたことを決定することができ、この後、ステップ８０４が反復されてもよい。一方、ステップ８１８では、そのＣＴＳ送信に続いて、最初のＣＴＳ送信側が、指定されたサイレンス期間（例えば、ＥＣＭＡ３６８ではＳＩＦＳ＝１０μｓ）の後に、（先例がない）サイレンスを検出した場合、最初のＣＴＳ送信側は、ＣＴＳが他のデバイスによって送信された（が、ローカル的に消失された）こと、または、他のデバイスが送信側のＣＴＳ送信を受信しなかったことを推論的に決定し、ステップ８０４では、消失されたＣＴＳの終端に続く指定されたサイレンス期間（例えば、ＥＣＭＡ３６８ではＳＩＦＳ＝１０μｓ）の後に、別のＣＴＳを送信する。いくつかの実施形態では、他のデバイスによって開始された有効なフレーム交換にＣＴＳの送信側が失敗した状況に対処するように、ＣＴＳ通信の再送信は、予め定められた数に制限されていてもよい。この制限されたまたは予め定められた数のＣＴＳ再送信は、ＣＴＳパケットと競合するこのようなデータパケットの数を制限することを助ける。
【００４０】
ステップ８１２では、最初のＣＴＳの送信側が、オプション的に、ヘッダエラーを有するパケットを受信してもよく、このケースでは、デバイスは、例えば、ＥＣＭＡ３６８で規定されているように、または、別のＣＴＳが受信されるまでに、バックオフするだろう。ヘッダエラーを有する受信パケットのケースでは、ステップ８１０に対するオプション的なパスによって示されているように、バックオフの後に、有効なフレーム交換を最初のＣＴＳ送信側が受信した場合、最初のＣＴＳ送信側は、所有権移転が受け入れられたと仮定できる。一方、ステップ８１６に対するオプション的なパスによって示されているように、バックオフの後に、有効なＣＴＳを最初のＣＴＳ送信側が受信した場合、最初のＣＴＳ送信側は、所有権移転が拒否されたと仮定できる。
【００４１】
所有権移転スキームのいくつかの実施形態では、情報データ送信を介在することなく、しきい値数の送出ＣＴＳ通信および到来ＣＴＳ通信が送信された後、予約オーナーは、予約ターゲットとの通信を中止してもよく、そして、適切な通知メッセージを送信し、確認返答を受信することによって予約を解放してもよい。（先行する２つの暗黙的な方法と比較して）明示的な所有権移転スキームの特定の利益は、上位層からのデータ到着の変動にオーナー（およびターゲット）がより容易に適応できることにある。理由は、（アイドル期間に基づいた競合スキームの代わりに）ＣＴＳ通信を送信することにより、オーナーが所有権を明示的に放棄することに基づいて、媒体アクセスすることにより、オーナーは、７０２中にキューされている新しいアプリケーションデータ（または、例えば、ＴＣＰ／ＩＰまたはＵＤＰまたはブルトゥース（登録商標）Ｌ２ＣＡＰトラフィックのような他の何らかの上位層データ）を評価することができ、かつ、オーナーが送信するさらなるデータを検出した場合に、ＣＴＳ通信を送信しないことによって所有権を保持することを決定できる。図５および６の先行する２つの暗黙的な所有権スキームでは、オーナーが優先的なアクセスを持つことから、現在の送信シーケンスの終わりを超えて媒体所有権持続期間を延長することが予約オーナーによって促進できる。しかしながら、（ブロック５０２または６０２の）仮想的な延長は、現在のパケットのヘッダで確約および信号送信する必要があることから、予約ターゲットにとってプロセスはより困難である；このようなアプローチは、遅延拘束決定のために、柔軟性が低い。これを効率的に実行するには、新しいアプリケーションデータが遅れずに具現化しない場合に推論的延長を終了させるために、例えば、ヌルペイロードパケットのような付加的な通信の送信が必要になる。仮想的な延長メカニズムの例が、８０２．１１およびＥＣＭＡ３６８において説明されている。ここでは、従来の競合に基づいたアプローチに対して、ヌルデータパケット送信が許可されている。しかしながら、本開示の状況では、ヌルデータパケットを使用して、デバイスが現在の所有権を保持／解放するために遅延拘束決定を可能にする。例えば、キュー中に最後のパケットが検出された場合、（ヘッダにおいてマークされている）媒体占有持続期間を延長して、ヌルデータパケットを送信することを可能にする量だけ現在のパケットを超えた超過持続期間をカバーすることができる。したがって、新しいアプリケーションデータが超過持続期間内に到着した場合、ヘッダにおける新しい持続期間延長によって、新しく到着したデータを送信することができる；さもなければ、さらに持続期間延長をせずに、ヌルデータパケットが送信される。ヌルデータパケットアプローチとは対照的に、図７の明示的なＣＴＳ方法は、ヌルデータパケットおよび推論的な持続期間延長を必要とせずに、さらなる柔軟性を提供する。
【００４２】
図７では、ＣＴＳ通信は約１３μｓであってもよく、待ち期間７１６は約１０μｓ（例えば、ＥＣＭＡ３６８のためのＳＩＦＳ）であってもよいので、オーバーヘッド犠牲７１８は約２３μｓであってもよい。送信する保留中のデータを「非オーナー」が持っていないとき、オーバーヘッド犠牲７１８を防ぐまたは延期させるために、代替実施形態では、図７の実施形態を変更してもよい。代替実施形態では、予約割振の現在のオーナーがＣＴＳ通信７１４によって所有権移転を開始することができることに加えて、現在の「非オーナー」が、例えば、一意的なフィールドを有するブロック肯定応答（Ｂ−ＡＣＫ）通信を送信することによって所有権を請求し、これは、現在のオーナーによるＣＴＳ通信７１４を請求する。したがって、非オーナーは、予約割振の所有権をより早く獲得することができ、これにより、媒体アクセスに対する待ち時間を減少させることができる。たとえ、現在のオーナーが送信するためのさらなるデータを持っていたとしても、所有権を譲渡するか否かを現在のオーナーは決定することもできる。このＢ−ＡＣＫは消失または破損することもあるので、ゼロのＢ−ＡＣＫ ＲＸウィンドウを単に送信することによって、現在の非オーナーが媒体の所有権を仮定することは賢明でないことに留意すべきである。同じ理由で、現在のオーナーが、その最後の送信においてＢ−ＡＣＫ要求を送信することによって所有権を単に許可することは賢明でないかもしれない。したがって、たとえＢ−ＡＣＫの後であっても、ＣＴＳの送信は望ましいものである。ＣＴＳパケットの消失／破損に対する回復メカニズムは、ペイロードのない固定サイズの制御パケットであるので、先に記述したように規定することがより容易である。
【００４３】
ここで記述した実施形態は、ハードウェア、ソフトウェア、ファームウェア、ミドルウェア、マイクロコード、またはこれらのものを組み合わせた任意のものによって実現されることを理解すべきである。システムおよび／または方法がソフトウェア、ファームウェア、ミドルウェアまたはマイクロコード、プログラムコードまたはコードセグメントで実現されるとき、これらは、記憶コンポーネントのような機械読み取り可能な媒体中に記憶されてもよい。コードセグメントは、手順、関数、サブプログラム、プログラム、ルーチン、サブルーチン、モジュール、ソフトウェアパッケージ、クラス、あるいは、命令の任意の組み合わせ、データ構成、またはプログラムステートメントを表してもよい。コードセグメントは、情報、データ、変数、パラメータ、またはメモリ定数を送る、および／または、受信することによって、別のコードセグメントまたはハードウェア回路に結合されていてもよい。メモリ共有、メッセージパッシング、トークンパッシング、ネットワーク送信等を含む何らかの適切な手段を使用して、情報、変数、パラメータ、データ等は、通過、転送、または送信されてもよい。
【００４４】
ソフトウェアの実現のために、ここで記述した機能を実行するモジュール（例えば、手順、関数等）により、ここで記述した技術を実現してもよい。ソフトウェアコードはメモリユニット中に記憶させて、プロセッサによって実行してもよい。メモリユニットをプロセッサ内部またはプロセッサの外部で実現してもよく、どちらのケースにおいても、技術的に知られているさまざまな手段によって、プロセッサと通信可能に結合することができる。
【００４５】
先に記述していることは、１つ以上の実施形態の例を含んでいる。もちろん、以下で説明する実施形態において記述する目的のためにコンポーネントおよび方法のすべての考えられる組み合わせを記述することは不可能であるが、当業者は、さまざまな実施形態の多くのさらなる組み合わせおよび置換が可能性あることを認識してもよい。したがって、記述した実施形態は、特許請求の範囲の精神および範囲内にあるすべてのこのような変更、修正およびバリエーションを含むことを意図しており、さらに、用語「含む」が詳細な説明または特許請求の範囲のいずれかで使用される限り、このような用語は、用語「具備する」が請求項中で移転語として使用されるときに解釈されるように用語「具備する」とある意味、類似して包括的であることが意図されている。
【図１】
2010536269.tif 000003
【図２】
2010536269.tif 000004
【図３】
2010536269.tif 000005
【図４】
2010536269.tif 000006
【図５】
2010536269.tif 000007
【図６】
2010536269.tif 000008
【図７】
2010536269.tif 000009
【図８】
2010536269.tif 000010
【手続補正書】
【提出日】平成22年6月10日(2010.6.10)
【手続補正１】
【補正対象書類名】特許請求の範囲
【補正対象項目名】全文
【補正方法】変更
【補正の内容】
【特許請求の範囲】
【請求項１】
アドホックネットワーク中の媒体アクセスを予約する方法において、
予約オーナーによって予約要求を送信することを含み、
前記予約要求は、予約割振と予約ターゲットと予約タイプとを識別し、前記予約タイプは、予約期間中の、前記予約オーナーと前記予約ターゲットとによる前記予約割振の排他的使用を識別する方法。
【請求項２】
前記予約ターゲットは、優先競合アクセス（ＰＣＡ）スキームを使用して、前記予約割振にアクセスする請求項１の方法。
【請求項３】
前記予約割振のアイドル部分は、偶数スロットと奇数スロットとを含む複数のスロットに細分され、前記予約オーナーは、偶数スロット中に送信することを開始することによって前記アイドル部分に対するアクセスを得て、前記予約ターゲットは、奇数スロット中に送信することを開始することによって前記アイドル部分に対するアクセスを得る請求項１記載の方法。
【請求項４】
最初の予約オーナーとして識別された前記予約オーナーは、送出送信許可（ＣＴＳ）通信を、最初の予約ターゲットとして識別された前記予約ターゲットに送信し、前記予約割振の現在の所有権を前記最初の予約ターゲットに移転する請求項１の方法。
【請求項５】
前記最初の予約オーナーは、後に、到来送信許可（ＣＴＳ）通信を前記最初の予約ターゲットから受信し、前記予約割振の現在の所有権を取り戻す請求項４記載の方法。
【請求項６】
データ送信を介在することなく、しきい値数の送出および到来の送信許可（ＣＴＳ）通信が送信された後、前記予約オーナーは前記予約ターゲットとの通信を中止する請求項５記載の方法。
【請求項７】
現在の予約オーナーは、到来ブロック肯定応答（Ｂ−ＡＣＫ）通信を現在の予約ターゲットから受信し、前記受信したＢ−ＡＣＫにおける受信ウィンドウ情報に基づいて、前記現在の予約ターゲットが媒体所有権を請求していることを決定する請求項５記載の方法。
【請求項８】
前記現在の予約オーナーは、ＣＴＳ通信を前記現在の予約ターゲットに送信し、前記Ｂ−ＡＣＫにおける情報に基づいて、現在の所有権を前記現在の予約ターゲットに移転する請求項７記載の方法。
【請求項９】
前記現在の予約オーナーは、前記現在の予約オーナーの送信キューステータスにさらに基づいて、前記ＣＴＳ通信を送信する請求項８記載の方法。
【請求項１０】
前記ＣＴＳ通信の送信に続く、指定されたサイレンス期間の後にサイレンスを検出することと、
前記サイレンスを検出することに基づいて、他のデバイスによって応答ＣＴＳが送信されたことを推論的に決定することと、
前記決定するステップに基づいて、後続するＣＴＳ通信を送信することとをさらに含む請求項４記載の方法。
【請求項１１】
前記送出ＣＴＳに応答して、ヘッダエラーを有するパケットを受信することと、
バックオフ期間バックオフすることと、
応答ＣＴＳが前記バックオフ期間中に受信されたか否かを決定することと、
応答ＣＴＳが受信されていた場合に、前記最初の予約オーナーに所有権を戻すように移転することと、
前記バックオフ期間中に有効なフレーム交換が生じたか否かを決定することと、
前記バックオフ期間中に前記有効なフレーム交換が生じている場合、前記予約ターゲットへの所有権の移転が受け入れられたことを決定することとをさらに含む請求項４記載の方法。
【請求項１２】
前記予約オーナーと前記予約ターゲットとの間のフレーム交換の不適切な終了を検出することと、
前記不適切な終了に関係する消失応答パケットの計算された終端に基づいて、前記予約割振のアイドル部分に関係する時間基準をリセットすることとをさらに含む請求項３記載の方法。
【請求項１３】
前記予約割振は、媒体アクセスチャネルスーパーフレームの複数の媒体アクセススロットのうちの少なくとも１つの媒体アクセススロット（ＭＡＳ）を含む請求項１記載の方法。
【請求項１４】
前記予約オーナーは第１の予約オーナーとして識別され、前記予約ターゲットは第１の予約ターゲットとして識別され、
前記方法は、
第２の予約要求を前記第１の予約ターゲットによって送信することをさらに含み、
前記第２の予約要求は第２の予約割振を識別し、第２の予約ターゲットは、前記第１の予約オーナーと第２の予約タイプとに対応し、前記第２の予約タイプは、第２の予約期間中の、前記第１の予約オーナーと前記第１の予約ターゲットとによる前記第２の予約割振の排他的使用を識別する請求項１記載の方法。
【請求項１５】
前記第１および第２の予約割振は、スーパーフレーム内の連続的な媒体アクセススロット（ＭＡＳ）と、スーパーフレーム内のインターリーブされた媒体アクセススロット（ＭＡＳ）とのうちの１つを占有する請求項１４記載の方法。
【請求項１６】
前記インターリーブされたＭＡＳは、上位層プロトコルの送信ウィンドウサイズに基づいている請求項１５記載の方法。
【請求項１７】
前記予約割振は、仮想的に、第１のセクションと第２のセクションとに分割され、前記予約オーナーは前記第１のセクションの前記最初の予約オーナーとして識別され、前記予約ターゲットは前記第２のセクションの前記最初の予約オーナーとして識別される請求項１記載の方法。
【請求項１８】
前記第１および第２のセクションは、スーパーフレーム内の連続的な媒体アクセススロット（ＭＡＳ）と、スーパーフレーム内のインターリーブされた媒体アクセススロット（ＭＡＳ）とのうちの１つを占有する請求項１７記載の方法。
【請求項１９】
前記インターリーブされたＭＡＳは、上位層プロトコルの送信ウィンドウサイズに基づいている請求項１８記載の方法。
【請求項２０】
予約オーナーとして識別されたワイヤレス通信デバイスにおいて、
アンテナに結合されているトランシーバと、
前記トランシーバに結合されているプロセッサと、
前記プロセッサに結合されているメモリとを具備し、
前記プロセッサは、予約要求を送信するように適合され、
前記予約要求は、予約割振と予約ターゲットと予約タイプとを識別し、前記予約タイプは、予約期間中の、前記予約オーナーと前記予約ターゲットとによる前記予約割振の排他的使用を識別するワイヤレス通信デバイス。
【請求項２１】
ワイヤレス通信デバイスにおいて、
予約オーナーによって予約要求を送信する手段を具備し、
前記予約要求は、予約割振と予約ターゲットと予約タイプとを識別し、前記予約タイプは、予約期間中の、前記予約オーナーと前記予約ターゲットとによる前記予約割振の排他的使用を識別するワイヤレス通信デバイス。
【請求項２２】
コンピュータ読み取り可能媒体を含むコンピュータプログラムにおいて、
予約オーナーによって予約要求をコンピュータに送信させるコードを含み、
前記予約要求は、予約割振と予約ターゲットと予約タイプとを識別し、前記予約タイプは、予約期間中の、前記予約オーナーと前記予約ターゲットとによる前記予約割振の排他的使用を識別するコンピュータプログラム。
【請求項２３】
コンピュータ読み取り可能媒体において、
予約オーナーによって予約要求をコンピュータに送信させるコードを含み、
前記予約要求は、予約割振と予約ターゲットと予約タイプとを識別し、前記予約タイプは、予約期間中の、前記予約オーナーと前記予約ターゲットとによる前記予約割振の排他的使用を識別するコンピュータ読み取り可能媒体。
【請求項２４】
アドホックネットワークシステムにおいて、
予約オーナーと、
予約ターゲットとを具備し、
前記予約オーナーは、予約要求を送信するように適合され、
前記予約要求は、予約割振と前記予約ターゲットと予約タイプとを識別し、前記予約タイプは、予約期間中の、前記予約オーナーと前記予約ターゲットとによる前記予約割振の排他的使用を識別するアドホックネットワークシステム。
【請求項２５】
前記予約割振のアイドル部分は、偶数スロットと奇数スロットとを含む複数のスロットに細分され、前記予約オーナーは、偶数スロット中に送信することを開始することによって前記アイドル部分に対するアクセスを得て、前記予約ターゲットは、奇数スロット中に送信することを開始することによって前記アイドル部分に対するアクセスを得る請求項２４記載のシステム。
【請求項２６】
最初の予約オーナーとして識別された前記予約オーナーは、送出送信許可（ＣＴＳ）通信を、最初の予約ターゲットとして識別された前記予約ターゲットに送信し、前記予約割振の現在の所有権を前記最初の予約ターゲットに移転する請求項２４記載のシステム。
【手続補正２】
【補正対象書類名】明細書
【補正対象項目名】００４５
【補正方法】変更
【補正の内容】
【００４５】
先に記述していることは、１つ以上の実施形態の例を含んでいる。もちろん、以下で説明する実施形態において記述する目的のためにコンポーネントおよび方法のすべての考えられる組み合わせを記述することは不可能であるが、当業者は、さまざまな実施形態の多くのさらなる組み合わせおよび置換が可能性あることを認識してもよい。したがって、記述した実施形態は、特許請求の範囲の精神および範囲内にあるすべてのこのような変更、修正およびバリエーションを含むことを意図しており、さらに、用語「含む」が詳細な説明または特許請求の範囲のいずれかで使用される限り、このような用語は、用語「具備する」が請求項中で移転語として使用されるときに解釈されるように用語「具備する」とある意味、類似して包括的であることが意図されている。
以下に、本願出願の当初の特許請求の範囲に記載された発明を付記する。
〔１〕アドホックネットワーク中の媒体アクセスを予約する方法において、
予約オーナーによって予約要求を送信することを含み、
前記予約要求は、予約割振と予約ターゲットと予約タイプとを識別し、前記予約タイプは、予約期間中の、前記予約オーナーと前記予約ターゲットとによる前記予約割振の排他的使用を識別する方法。
〔２〕前記予約ターゲットは、優先競合アクセス（ＰＣＡ）スキームを使用して、前記予約割振にアクセスする、上記〔１〕の方法。
〔３〕前記予約割振のアイドル部分は、偶数スロットと奇数スロットとを含む複数のスロットに細分され、前記予約オーナーは、偶数スロット中に送信することを開始することによって前記アイドル部分に対するアクセスを得て、前記予約ターゲットは、奇数スロット中に送信することを開始することによって前記アイドル部分に対するアクセスを得る、上記〔１〕記載の方法。
〔４〕最初の予約オーナーとして識別された前記予約オーナーは、送出送信許可（ＣＴＳ）通信を、最初の予約ターゲットとして識別された前記予約ターゲットに送信し、前記予約割振の現在の所有権を前記最初の予約ターゲットに移転する、上記〔１〕の方法。
〔５〕前記最初の予約オーナーは、後に、到来送信許可（ＣＴＳ）通信を前記最初の予約ターゲットから受信し、前記予約割振の現在の所有権を取り戻す、上記〔４〕記載の方法。
〔６〕データ送信を介在することなく、しきい値数の送出および到来の送信許可（ＣＴＳ）通信が行われた後、前記予約オーナーは前記予約ターゲットとの通信を中止する、上記〔５〕記載の方法。
〔７〕現在の予約オーナーは、到来ブロック肯定応答（Ｂ−ＡＣＫ）通信を現在の予約ターゲットから受信し、前記受信したＢ−ＡＣＫにおける受信ウィンドウ情報に基づいて、前記現在の予約ターゲットが媒体所有権を請求していることを決定する、上記〔５〕記載の方法。
〔８〕前記現在の予約オーナーは、ＣＴＳ通信を前記現在の予約ターゲットに送信し、前記Ｂ−ＡＣＫにおける情報に基づいて、現在の所有権を前記現在の予約ターゲットに移転する、上記〔７〕記載の方法。
〔９〕前記現在の予約オーナーは、前記現在の予約オーナーの送信キューステータスにさらに基づいて、前記ＣＴＳ通信を送信する、上記〔８〕記載の方法。
〔１０〕前記ＣＴＳ通信の送信に続く、指定されたサイレンス期間の後にサイレンスを検出することと、
前記サイレンスを検出することに基づいて、他のデバイスによって応答ＣＴＳが送信されたことを推論的に決定することと、
前記決定するステップに基づいて、後続するＣＴＳ通信を送信することとをさらに含む、上記〔４〕記載の方法。
〔１１〕前記送出ＣＴＳに応答して、ヘッダエラーを有するパケットを受信することと、
バックオフ期間バックオフすることと、
応答ＣＴＳが前記バックオフ期間中に受信されたか否かを決定することと、
応答ＣＴＳが受信されていた場合に、前記最初の予約オーナーに所有権を戻すように移転することと、
前記バックオフ期間中に有効なフレーム交換が生じたか否かを決定することと、
前記バックオフ期間中に前記有効なフレーム交換が生じている場合、前記予約ターゲットへの所有権の移転が受け入れられたことを決定することとをさらに含む、上記〔４〕記載の方法。
〔１２〕前記予約オーナーと前記予約ターゲットとの間のフレーム交換の不適切な終了を検出することと、
前記不適切な終了に関係する消失応答パケットの計算された終端に基づいて、前記予約割振のアイドル部分に関係する時間基準をリセットすることとをさらに含む、上記〔３〕記載の方法。
〔１３〕前記予約割振は、媒体アクセスチャネルスーパーフレームの複数の媒体アクセスロットのうちの少なくとも１つの媒体アクセススロット（ＭＡＳ）を含む、上記〔１〕記載の方法。
〔１４〕前記予約オーナーは第１の予約オーナーとして識別され、前記予約ターゲットは第１の予約ターゲットとして識別され、
前記方法は、
第２の予約要求を前記第１の予約ターゲットによって送信することをさらに含み、
前記第２の予約要求は第２の予約割振を識別し、第２の予約ターゲットは、前記第１の予約オーナーと第２の予約タイプとに対応し、前記第２の予約タイプは、第２の予約期間中の、前記第１の予約オーナーと前記第１の予約ターゲットとによる前記第２の予約割振の排他的使用を識別する、上記〔１〕記載の方法。
〔１５〕前記第１および第２の予約割振は、スーパーフレーム内の連続的な媒体アクセススロット（ＭＡＳ）と、スーパーフレーム内のインターリーブされた媒体アクセススロット（ＭＡＳ）とのうちの１つを占有する、上記〔１４〕記載の方法。
〔１６〕前記インターリーブされたＭＡＳは、上位層プロトコルの送信ウィンドウサイズに基づいている、上記〔１５〕記載の方法。
〔１７〕前記予約割振は、仮想的に、第１のセクションと第２のセクションとに分割され、前記予約オーナーは前記第１のセクションの前記最初の予約オーナーとして識別され、前記予約ターゲットは前記第２のセクションの前記最初の予約オーナーとして識別される、上記〔１〕記載の方法。
〔１８〕前記第１および第２のセクションは、スーパーフレーム内の連続的な媒体アクセススロット（ＭＡＳ）と、スーパーフレーム内のインターリーブされた媒体アクセススロット（ＭＡＳ）とのうちの１つを占有する、上記〔１７〕記載の方法。
〔１９〕前記インターリーブされたＭＡＳは、上位層プロトコルの送信ウィンドウサイズに基づいている、上記〔１８〕記載の方法。
〔２０〕予約オーナーとして識別されたワイヤレス通信デバイスにおいて、
アンテナに結合されているトランシーバと、
前記トランシーバに結合されているプロセッサと、
前記プロセッサに結合されているメモリとを具備し、
前記プロセッサは、予約要求を送信するように適合され、
前記予約要求は、予約割振と予約ターゲットと予約タイプとを識別し、前記予約タイプは、予約期間中の、前記予約オーナーと前記予約ターゲットとによる前記予約割振の排他的使用を識別するワイヤレス通信デバイス。
〔２１〕ワイヤレス通信デバイスにおいて、
予約オーナーによって予約要求を送信する手段を具備し、
前記予約要求は、予約割振と予約ターゲットと予約タイプとを識別し、前記予約タイプは、予約期間中の、前記予約オーナーと前記予約ターゲットとによる前記予約割振の排他的使用を識別するワイヤレス通信デバイス。
〔２２〕コンピュータ読み取り可能媒体を含むコンピュータプログラムプロダクトにおいて、
前記コンピュータ読み取り可能媒体は、
予約オーナーによって予約要求をコンピュータに送信させるコードを含み、
前記予約要求は、予約割振と予約ターゲットと予約タイプとを識別し、前記予約タイプは、予約期間中の、前記予約オーナーと前記予約ターゲットとによる前記予約割振の排他的使用を識別するコンピュータプログラムプロダクト。
〔２３〕アドホックネットワークシステムにおいて、
予約オーナーと、
予約ターゲットとを具備し、
前記予約オーナーは、予約要求を送信するように適合され、
前記予約要求は、予約割振と前記予約ターゲットと予約タイプとを識別し、前記予約タイプは、予約期間中の、前記予約オーナーと前記予約ターゲットとによる前記予約割振の排他的使用を識別するアドホックネットワークシステム。
〔２４〕前記予約割振のアイドル部分は、偶数スロットと奇数スロットとを含む複数のスロットに細分され、前記予約オーナーは、偶数スロット中に送信することを開始することによって前記アイドル部分に対するアクセスを得て、前記予約ターゲットは、奇数スロット中に送信することを開始することによって前記アイドル部分に対するアクセスを得る、上記〔２３〕記載のシステム。
〔２５〕最初の予約オーナーとして識別された前記予約オーナーは、送出送信許可（ＣＴＳ）通信を、最初の予約ターゲットとして識別された前記予約ターゲットに送信し、前記予約割振の現在の所有権を前記最初の予約ターゲットに移転する、上記〔２３〕記載のシステム。
【手続補正書】
【提出日】平成22年7月16日(2010.7.16)
【手続補正１】
【補正対象書類名】特許請求の範囲
【補正対象項目名】全文
【補正方法】変更
【補正の内容】
【特許請求の範囲】
【請求項１】
アドホックネットワーク中の媒体アクセスを予約する方法において、
予約オーナーによって予約要求を送信することを含み、
前記予約要求は、予約割振と予約ターゲットと予約タイプとを識別し、前記予約タイプは、予約期間中の、前記予約オーナーと前記予約ターゲットとによる前記予約割振の排他的使用を識別する方法。
【請求項２】
前記予約ターゲットは、優先競合アクセス（ＰＣＡ）スキームを使用して、前記予約割振にアクセスする請求項１の方法。
【請求項３】
前記予約割振のアイドル部分は、偶数スロットと奇数スロットとを含む複数のスロットに細分され、前記予約オーナーは、偶数スロット中に送信することを開始することによって前記アイドル部分に対するアクセスを得て、前記予約ターゲットは、奇数スロット中に送信することを開始することによって前記アイドル部分に対するアクセスを得る請求項１記載の方法。
【請求項４】
最初の予約オーナーとして識別された前記予約オーナーは、送出送信許可（ＣＴＳ）通信を、最初の予約ターゲットとして識別された前記予約ターゲットに送信し、前記予約割振の現在の所有権を前記最初の予約ターゲットに移転する請求項１の方法。
【請求項５】
前記最初の予約オーナーは、後に、到来送信許可（ＣＴＳ）通信を前記最初の予約ターゲットから受信し、前記予約割振の現在の所有権を取り戻す請求項４記載の方法。
【請求項６】
データ送信を介在することなく、しきい値数の送出および到来の送信許可（ＣＴＳ）通信が送信された後、前記予約オーナーは前記予約ターゲットとの通信を中止する請求項５記載の方法。
【請求項７】
現在の予約オーナーは、到来ブロック肯定応答（Ｂ−ＡＣＫ）通信を現在の予約ターゲットから受信し、前記受信したＢ−ＡＣＫにおける受信ウィンドウ情報に基づいて、前記現在の予約ターゲットが媒体所有権を請求していることを決定する請求項５記載の方法。
【請求項８】
前記現在の予約オーナーは、ＣＴＳ通信を前記現在の予約ターゲットに送信し、前記Ｂ−ＡＣＫにおける情報に基づいて、現在の所有権を前記現在の予約ターゲットに移転する請求項７記載の方法。
【請求項９】
前記現在の予約オーナーは、前記現在の予約オーナーの送信キューステータスにさらに基づいて、前記ＣＴＳ通信を送信する請求項８記載の方法。
【請求項１０】
前記ＣＴＳ通信の送信に続く、指定されたサイレンス期間の後にサイレンスを検出することと、
前記サイレンスを検出することに基づいて、他のデバイスによって応答ＣＴＳが送信されたことを推論的に決定することと、
前記決定するステップに基づいて、後続するＣＴＳ通信を送信することとをさらに含む請求項４記載の方法。
【請求項１１】
前記送出ＣＴＳに応答して、ヘッダエラーを有するパケットを受信することと、
バックオフ期間バックオフすることと、
応答ＣＴＳが前記バックオフ期間中に受信されたか否かを決定することと、
応答ＣＴＳが受信されていた場合に、前記最初の予約オーナーに所有権を戻すように移転することと、
前記バックオフ期間中に有効なフレーム交換が生じたか否かを決定することと、
前記バックオフ期間中に前記有効なフレーム交換が生じている場合、前記予約ターゲットへの所有権の移転が受け入れられたことを決定することとをさらに含む請求項４記載の方法。
【請求項１２】
前記予約オーナーと前記予約ターゲットとの間のフレーム交換の不適切な終了を検出することと、
前記不適切な終了に関係する消失応答パケットの計算された終端に基づいて、前記予約割振のアイドル部分に関係する時間基準をリセットすることとをさらに含む請求項３記載の方法。
【請求項１３】
前記予約割振は、媒体アクセスチャネルスーパーフレームの複数の媒体アクセススロットのうちの少なくとも１つの媒体アクセススロット（ＭＡＳ）を含む請求項１記載の方法。
【請求項１４】
前記予約オーナーは第１の予約オーナーとして識別され、前記予約ターゲットは第１の予約ターゲットとして識別され、
前記方法は、
第２の予約要求を前記第１の予約ターゲットによって送信することをさらに含み、
前記第２の予約要求は第２の予約割振を識別し、第２の予約ターゲットは、前記第１の予約オーナーと第２の予約タイプとに対応し、前記第２の予約タイプは、第２の予約期間中の、前記第１の予約オーナーと前記第１の予約ターゲットとによる前記第２の予約割振の排他的使用を識別する請求項１記載の方法。
【請求項１５】
前記第１および第２の予約割振は、スーパーフレーム内の連続的な媒体アクセススロット（ＭＡＳ）と、スーパーフレーム内のインターリーブされた媒体アクセススロット（ＭＡＳ）とのうちの１つを占有する請求項１４記載の方法。
【請求項１６】
前記インターリーブされたＭＡＳは、上位層プロトコルの送信ウィンドウサイズに基づいている請求項１５記載の方法。
【請求項１７】
前記予約割振は、仮想的に、第１のセクションと第２のセクションとに分割され、前記予約オーナーは前記第１のセクションの前記最初の予約オーナーとして識別され、前記予約ターゲットは前記第２のセクションの前記最初の予約オーナーとして識別される請求項１記載の方法。
【請求項１８】
前記第１および第２のセクションは、スーパーフレーム内の連続的な媒体アクセススロット（ＭＡＳ）と、スーパーフレーム内のインターリーブされた媒体アクセススロット（ＭＡＳ）とのうちの１つを占有する請求項１７記載の方法。
【請求項１９】
前記インターリーブされたＭＡＳは、上位層プロトコルの送信ウィンドウサイズに基づいている請求項１８記載の方法。
【請求項２０】
予約オーナーとして識別されたワイヤレス通信デバイスにおいて、
アンテナに結合されているトランシーバと、
前記トランシーバに結合されているプロセッサと、
前記プロセッサに結合されているメモリとを具備し、
前記プロセッサは、予約要求を送信するように適合され、
前記予約要求は、予約割振と予約ターゲットと予約タイプとを識別し、前記予約タイプは、予約期間中の、前記予約オーナーと前記予約ターゲットとによる前記予約割振の排他的使用を識別するワイヤレス通信デバイス。
【請求項２１】
ワイヤレス通信デバイスにおいて、
予約オーナーによって予約要求を送信する手段を具備し、
前記予約要求は、予約割振と予約ターゲットと予約タイプとを識別し、前記予約タイプは、予約期間中の、前記予約オーナーと前記予約ターゲットとによる前記予約割振の排他的使用を識別するワイヤレス通信デバイス。
【請求項２２】
コンピュータプログラムにおいて、
予約オーナーによって予約要求をコンピュータに送信させるコードを含み、
前記予約要求は、予約割振と予約ターゲットと予約タイプとを識別し、前記予約タイプは、予約期間中の、前記予約オーナーと前記予約ターゲットとによる前記予約割振の排他的使用を識別するコンピュータプログラム。
【請求項２３】
コンピュータ読み取り可能媒体において、
予約オーナーによって予約要求をコンピュータに送信させるコードを含み、
前記予約要求は、予約割振と予約ターゲットと予約タイプとを識別し、前記予約タイプは、予約期間中の、前記予約オーナーと前記予約ターゲットとによる前記予約割振の排他的使用を識別するコンピュータ読み取り可能媒体。
【請求項２４】
アドホックネットワークシステムにおいて、
予約オーナーと、
予約ターゲットとを具備し、
前記予約オーナーは、予約要求を送信するように適合され、
前記予約要求は、予約割振と前記予約ターゲットと予約タイプとを識別し、前記予約タイプは、予約期間中の、前記予約オーナーと前記予約ターゲットとによる前記予約割振の排他的使用を識別するアドホックネットワークシステム。
【請求項２５】
前記予約割振のアイドル部分は、偶数スロットと奇数スロットとを含む複数のスロットに細分され、前記予約オーナーは、偶数スロット中に送信することを開始することによって前記アイドル部分に対するアクセスを得て、前記予約ターゲットは、奇数スロット中に送信することを開始することによって前記アイドル部分に対するアクセスを得る請求項２４記載のシステム。
【請求項２６】
最初の予約オーナーとして識別された前記予約オーナーは、送出送信許可（ＣＴＳ）通信を、最初の予約ターゲットとして識別された前記予約ターゲットに送信し、前記予約割振の現在の所有権を前記最初の予約ターゲットに移転する請求項２４記載のシステム。
【手続補正２】
【補正対象書類名】明細書
【補正対象項目名】００４５
【補正方法】変更
【補正の内容】
【００４５】
先に記述していることは、１つ以上の実施形態の例を含んでいる。もちろん、以下で説明する実施形態において記述する目的のためにコンポーネントおよび方法のすべての考えられる組み合わせを記述することは不可能であるが、当業者は、さまざまな実施形態の多くのさらなる組み合わせおよび置換が可能性あることを認識してもよい。したがって、記述した実施形態は、特許請求の範囲の精神および範囲内にあるすべてのこのような変更、修正およびバリエーションを含むことを意図しており、さらに、用語「含む」が詳細な説明または特許請求の範囲のいずれかで使用される限り、このような用語は、用語「具備する」が請求項中で移転語として使用されるときに解釈されるように用語「具備する」とある意味、類似して包括的であることが意図されている。
以下に、本願出願の当初の特許請求の範囲に記載された発明を付記する。
〔１〕アドホックネットワーク中の媒体アクセスを予約する方法において、
予約オーナーによって予約要求を送信することを含み、
前記予約要求は、予約割振と予約ターゲットと予約タイプとを識別し、前記予約タイプは、予約期間中の、前記予約オーナーと前記予約ターゲットとによる前記予約割振の排他的使用を識別する方法。
〔２〕前記予約ターゲットは、優先競合アクセス（ＰＣＡ）スキームを使用して、前記予約割振にアクセスする、上記〔１〕の方法。
〔３〕前記予約割振のアイドル部分は、偶数スロットと奇数スロットとを含む複数のスロットに細分され、前記予約オーナーは、偶数スロット中に送信することを開始することによって前記アイドル部分に対するアクセスを得て、前記予約ターゲットは、奇数スロット中に送信することを開始することによって前記アイドル部分に対するアクセスを得る、上記〔１〕記載の方法。
〔４〕最初の予約オーナーとして識別された前記予約オーナーは、送出送信許可（ＣＴＳ）通信を、最初の予約ターゲットとして識別された前記予約ターゲットに送信し、前記予約割振の現在の所有権を前記最初の予約ターゲットに移転する、上記〔１〕の方法。
〔５〕前記最初の予約オーナーは、後に、到来送信許可（ＣＴＳ）通信を前記最初の予約ターゲットから受信し、前記予約割振の現在の所有権を取り戻す、上記〔４〕記載の方法。
〔６〕データ送信を介在することなく、しきい値数の送出および到来の送信許可（ＣＴＳ）通信が行われた後、前記予約オーナーは前記予約ターゲットとの通信を中止する、上記〔５〕記載の方法。
〔７〕現在の予約オーナーは、到来ブロック肯定応答（Ｂ−ＡＣＫ）通信を現在の予約ターゲットから受信し、前記受信したＢ−ＡＣＫにおける受信ウィンドウ情報に基づいて、前記現在の予約ターゲットが媒体所有権を請求していることを決定する、上記〔５〕記載の方法。
〔８〕前記現在の予約オーナーは、ＣＴＳ通信を前記現在の予約ターゲットに送信し、前記Ｂ−ＡＣＫにおける情報に基づいて、現在の所有権を前記現在の予約ターゲットに移転する、上記〔７〕記載の方法。
〔９〕前記現在の予約オーナーは、前記現在の予約オーナーの送信キューステータスにさらに基づいて、前記ＣＴＳ通信を送信する、上記〔８〕記載の方法。
〔１０〕前記ＣＴＳ通信の送信に続く、指定されたサイレンス期間の後にサイレンスを検出することと、
前記サイレンスを検出することに基づいて、他のデバイスによって応答ＣＴＳが送信されたことを推論的に決定することと、
前記決定するステップに基づいて、後続するＣＴＳ通信を送信することとをさらに含む、上記〔４〕記載の方法。
〔１１〕前記送出ＣＴＳに応答して、ヘッダエラーを有するパケットを受信することと、
バックオフ期間バックオフすることと、
応答ＣＴＳが前記バックオフ期間中に受信されたか否かを決定することと、
応答ＣＴＳが受信されていた場合に、前記最初の予約オーナーに所有権を戻すように移転することと、
前記バックオフ期間中に有効なフレーム交換が生じたか否かを決定することと、
前記バックオフ期間中に前記有効なフレーム交換が生じている場合、前記予約ターゲットへの所有権の移転が受け入れられたことを決定することとをさらに含む、上記〔４〕記載の方法。
〔１２〕前記予約オーナーと前記予約ターゲットとの間のフレーム交換の不適切な終了を検出することと、
前記不適切な終了に関係する消失応答パケットの計算された終端に基づいて、前記予約割振のアイドル部分に関係する時間基準をリセットすることとをさらに含む、上記〔３〕記載の方法。
〔１３〕前記予約割振は、媒体アクセスチャネルスーパーフレームの複数の媒体アクセスロットのうちの少なくとも１つの媒体アクセススロット（ＭＡＳ）を含む、上記〔１〕記載の方法。
〔１４〕前記予約オーナーは第１の予約オーナーとして識別され、前記予約ターゲットは第１の予約ターゲットとして識別され、
前記方法は、
第２の予約要求を前記第１の予約ターゲットによって送信することをさらに含み、
前記第２の予約要求は第２の予約割振を識別し、第２の予約ターゲットは、前記第１の予約オーナーと第２の予約タイプとに対応し、前記第２の予約タイプは、第２の予約期間中の、前記第１の予約オーナーと前記第１の予約ターゲットとによる前記第２の予約割振の排他的使用を識別する、上記〔１〕記載の方法。
〔１５〕前記第１および第２の予約割振は、スーパーフレーム内の連続的な媒体アクセススロット（ＭＡＳ）と、スーパーフレーム内のインターリーブされた媒体アクセススロット（ＭＡＳ）とのうちの１つを占有する、上記〔１４〕記載の方法。
〔１６〕前記インターリーブされたＭＡＳは、上位層プロトコルの送信ウィンドウサイズに基づいている、上記〔１５〕記載の方法。
〔１７〕前記予約割振は、仮想的に、第１のセクションと第２のセクションとに分割され、前記予約オーナーは前記第１のセクションの前記最初の予約オーナーとして識別され、前記予約ターゲットは前記第２のセクションの前記最初の予約オーナーとして識別される、上記〔１〕記載の方法。
〔１８〕前記第１および第２のセクションは、スーパーフレーム内の連続的な媒体アクセススロット（ＭＡＳ）と、スーパーフレーム内のインターリーブされた媒体アクセススロット（ＭＡＳ）とのうちの１つを占有する、上記〔１７〕記載の方法。
〔１９〕前記インターリーブされたＭＡＳは、上位層プロトコルの送信ウィンドウサイズに基づいている、上記〔１８〕記載の方法。
〔２０〕予約オーナーとして識別されたワイヤレス通信デバイスにおいて、
アンテナに結合されているトランシーバと、
前記トランシーバに結合されているプロセッサと、
前記プロセッサに結合されているメモリとを具備し、
前記プロセッサは、予約要求を送信するように適合され、
前記予約要求は、予約割振と予約ターゲットと予約タイプとを識別し、前記予約タイプは、予約期間中の、前記予約オーナーと前記予約ターゲットとによる前記予約割振の排他的使用を識別するワイヤレス通信デバイス。
〔２１〕ワイヤレス通信デバイスにおいて、
予約オーナーによって予約要求を送信する手段を具備し、
前記予約要求は、予約割振と予約ターゲットと予約タイプとを識別し、前記予約タイプは、予約期間中の、前記予約オーナーと前記予約ターゲットとによる前記予約割振の排他的使用を識別するワイヤレス通信デバイス。
〔２２〕コンピュータ読み取り可能媒体を含むコンピュータプログラムプロダクトにおいて、
前記コンピュータ読み取り可能媒体は、
予約オーナーによって予約要求をコンピュータに送信させるコードを含み、
前記予約要求は、予約割振と予約ターゲットと予約タイプとを識別し、前記予約タイプは、予約期間中の、前記予約オーナーと前記予約ターゲットとによる前記予約割振の排他的使用を識別するコンピュータプログラムプロダクト。
〔２３〕アドホックネットワークシステムにおいて、
予約オーナーと、
予約ターゲットとを具備し、
前記予約オーナーは、予約要求を送信するように適合され、
前記予約要求は、予約割振と前記予約ターゲットと予約タイプとを識別し、前記予約タイプは、予約期間中の、前記予約オーナーと前記予約ターゲットとによる前記予約割振の排他的使用を識別するアドホックネットワークシステム。
〔２４〕前記予約割振のアイドル部分は、偶数スロットと奇数スロットとを含む複数のスロットに細分され、前記予約オーナーは、偶数スロット中に送信することを開始することによって前記アイドル部分に対するアクセスを得て、前記予約ターゲットは、奇数スロット中に送信することを開始することによって前記アイドル部分に対するアクセスを得る、上記〔２３〕記載のシステム。
〔２５〕最初の予約オーナーとして識別された前記予約オーナーは、送出送信許可（ＣＴＳ）通信を、最初の予約ターゲットとして識別された前記予約ターゲットに送信し、前記予約割振の現在の所有権を前記最初の予約ターゲットに移転する、上記〔２３〕記載のシステム。
【国際調査報告】
2010536269.tif 000011
2010536269.tif 000012